(57)【要約】【課題】使う状況が異なっても使用者の顔部に的確にフィットさせることができ、自由度の高いものであり、且つ視野を妨げることもなく使い勝手のよい眼鏡を提供すること。【解決手段】左右一対のレンズを有するフロント部３と、該フロント部３の両端から後方に延びるテンプル部１と、該テンプル部１に取り付けられたモダン部２とを備える眼鏡Ａであって、前記モダン部２がテンプル部１に対して下方に回動可能となっており、しかもモダン部がテンプル部に対して段階的に仮り固定して停止することができる。【選択図】図２
0003217739.tif 000002
【実用新案登録請求の範囲】
【請求項１】
左右一対のレンズを有するフロント部と、該フロント部の両端から後方に延びるテンプル部と、該テンプル部に取り付けられたモダン部とを備える眼鏡であって、
前記モダン部がテンプル部に対して下方に回動可能となっていることを特徴とする眼鏡。
【請求項２】
前記モダン部がテンプル部に対して段階的に仮固定して停止するようになっていることを特徴とする請求項１記載の眼鏡。
【請求項３】
前記モダン部の一部にテンプル部の一部が嵌入され、テンプル部に形成された凸部又は凹部がモダン部に形成された凹部又は凸部に嵌り込むことによりモダン部がテンプル部に対して段階的に仮固定して停止するようになっていることを特徴とする請求項１又は２記載の眼鏡。
【請求項４】
前記凹部は釣り鐘状の複数の凹部であり、前記凸部は単数の釣り鐘状の凸部であることを特徴とする請求項３記載の眼鏡。
【請求項５】
前記テンプル部と前記モダン部との枢着部付近の内側に滑り止め部を設けたことを特徴とする請求項１〜４のいずれか１項記載の眼鏡。
【請求項６】
前記モダン部の内側に滑り止め部を設けたことを特徴とする請求項１〜５のいずれか１項記載の眼鏡。
【請求項７】
前記モダン部を回動し、前記モダン部の後部を頬骨弓の上端部と略平行にした状態で、前記モダン部の後部が頬骨弓の上端部に当接し支持されるようになっていることを特徴とする請求項１〜６記載のいずれか１項記載の眼鏡。
【考案の詳細な説明】
【技術分野】
【０００１】
本考案は、眼鏡に関し、更に詳しくは、使う状況が異なっても使用者の顔部に的確にフィットできる自由度があり、且つ視野を妨げることもなく使い勝手のよい眼鏡に関する。
【背景技術】
【０００２】
眼鏡は一般に、左右一対のレンズを有するフロント部と、該フロント部の両端から後方に延びるテンプル部と、該テンプル部に取り付けられたモダン部とを備える。
このような眼鏡は、装着した状態で運動等により顔を強く動かすと耳部に掛けられたモダン部が不用意に外れることがある。
このような問題を解決するため、モダン部の一部を回動できるようにしてテンプルの顔への保持力を高めた眼鏡が開発されている（特許文献１、特許文献２）。
これらの眼鏡は、確かに、耳への保持力が増すために外れ難い利点がある。
【０００３】
しかし、このような構造の眼鏡をある状況で使用する場合、例えば、ソファ等に寝転んだ状態で使用する場合を想定すると、このような状態では眼鏡のモダン部が耳部を圧迫して、その結果、装着した人に痛みを感じることがある。
これは寝転ぶことによって頭を支えている枕やマットが頭の重みを受けて逆方向に力が作用し、その結果、耳や耳後部とモダン部に相互に圧が加わるからである。
耳や耳後部がモダン部に押し付けられることから痛みを感じることとなる。
【０００４】
また、モダン部にも無理な力が加わり、眼鏡自体が変形したり破損したりすることがある。
横向きになって寝転び、テレビ等を見るような場合でも同様な理由で痛みを感じることがある。
【０００５】
一方、近年、携帯音響機器の普及により、眼鏡の使用時にもイヤホンやヘッドホン等の器具を使うことが多くなり、それらイヤホンやヘッドホンの装着時にモダン部が邪魔になることはよく経験することである。
このように、眼鏡の使用状況によっては、耳に掛かっているモダン部が原因となり、問題が生じる。
このような背景から、モダン部を回動自在にして、この部分のみ、一旦、耳から外して使用する眼鏡が開発されている（例えば、特許文献３）。
【０００６】
この眼鏡は、「メガネ前枠の両端部に枢支されるテンプルを使用者のこめかみに対応する位置で前側枠と後側枠とに２分割して、耳掛部を有する後側枠を、前側枠の後端部にメガネ前枠の方向に折り曲げ自在に装着し、折り曲げ状態における後側枠の前端部と前側枠の後端部を柔軟性を有する素材によって形成した着脱自在な保護キャップによって被冠した構造」を有するものである。
このような眼鏡は、耳掛部を有する後側枠を下方に回動させて使用すると、耳掛部が外れた状態で前枠が使用者の鼻元に支持され保護キャップ部分がこめかみに弾接されて顔面に支持されることとなる。
確かに、モダン部が、耳から外れるため、枕等を使って寝転んでも、耳はモダン部の圧迫から開放され痛みも生じない。
【先行技術文献】
【特許文献】
【０００７】
【特許文献１】特許第４６２６０１９号公報
【特許文献２】実用新案登録第３１８８９４９号公報
【特許文献３】実開昭５９−１９４７３０号公報
【考案の概要】
【考案が解決しようとする課題】
【０００８】
しかしながら、上記特許文献３記載の眼鏡は、テンプルを前側枠と耳掛け部を有する後側枠とに分割されているので、後側枠を前方へ折り曲げると耳掛け部を有する後側枠が前枠より前に張り出し突出した状態になる。
この状態では、前に突出した耳掛け部が目障りとなり、レンズを通して見る視野が大きく妨げられる。
一方、後側枠は、前側枠に沿った位置で止まるが途中で止めることはできない。
従って、こめかみを支持する部分は、こめかみ付近の一点となる。
【０００９】
本考案は上記事情に鑑みてなされたものであり、使う状況が異なっても使用者の顔部に的確にフィットさせることができ、自由度の高いものであり、且つ視野を妨げることもなく使い勝手のよい眼鏡を提供することを目的とする。
【課題を解決するための手段】
【００１０】
本考案者は、上記課題を解決するため鋭意検討したところ、モダン部をテンプル部に対して回動して停止できるようにすることで、上述した問題点を解決できることを見出し、本考案の眼鏡を完成させるに至った。
【００１１】
本考案は、（１）、左右一対のレンズを有するフロント部３と、該フロント部３の両端から後方に延びるテンプル部１と、該テンプル部１に取り付けられたモダン部２とを備える眼鏡Ａであって、前記モダン部２がテンプル部１に対して下方に回動可能となっている眼鏡Ａに存する。
【００１２】
また、本考案は、（２）、前記モダン部２がテンプル部１に段階的に仮固定して停止するようになっている上記（１）記載の眼鏡Ａに存する。
【００１３】
また、本考案は、（３）、前記モダン部２の一部にテンプル部１の一部が嵌入され、テンプル部１に形成された凸部１２又は凹部２２がモダン部２に形成された凹部２２又は凸部１２に嵌り込むことによりモダン部２がテンプル部１に対して段階的に仮固定して停止するようになっている上記（１）又は（２）記載の眼鏡Ａに存する。
【００１４】
また、本考案は、（４）、前記凹部２２は釣り鐘状の複数の凹部であり、前記凸部１２は単数の釣り鐘状の凸部である上記（３）記載の眼鏡Ａに存する。
【００１５】
また、本考案は、（５）、前記テンプル部１と前記モダン部２との枢着部付近の内側（顔側）に滑り止め部１Ｎを設けた上記（１）〜（４）のいずれか１つに記載の眼鏡Ａに存する。
【００１６】
また、本考案は、（６）、前記モダン部２の内側（顔側）に滑り止め部材２Ｎを設けた上記（１）〜（５）のいずれか１つに記載の眼鏡Ａに存する。
【００１７】
また、本考案は、（７）、前記モダン部２を回動し、前記モダン部２の後部を頬骨弓Ｂ１の上端部と略平行にした状態で、前記モダン部２の後部が頬骨弓Ｂ１の上端部に当接し支持されるようになっている上記（１）〜（６）のいずれか１つに記載の眼鏡Ａに存する。
【考案の効果】
【００１８】
１）本考案の眼鏡Ａは、モダン部２がテンプル部１に対して下方に回動可能となっているので、モダン部２を耳から外した状態で的確に頬骨弓Ｂ１、或いは顎骨Ｂ２に支持され、またフロント部３から突出することもなく視野が妨げられるようなことがない。
【００１９】
２）また、前記モダン部２がテンプル部１に段階的に仮固定して停止するようになっていることにより、モダン部２を顔側面の選択した位置にて支持することができる。
【００２０】
３）モダン部２の一部にテンプル部１の一部が嵌入され、テンプル部１に形成された凸部１２又は凹部２２がモダン部２に形成された凹部２２又は凸部１２に嵌り込むことによりモダン部２がテンプル部１に対して段階的に仮固定して停止するようになっているので、モダン部２とテンプル部１との組み付けが容易に行える。
【００２１】
４）モダン部２またはテンプル部１の凹部２２は釣り鐘状の複数の凹部であり、テンプル部１またはモダン部２に形成された凸部１２は単数の釣り鐘状の凸部であることにより、停止状態から次の停止状態まで一定の力を加えることによって移動することができ、モダン部２を顔側面の選択した位置にて支持することができる。
【００２２】
５）テンプル部１とモダン部２との枢着部付近の内側（顔側）に滑り止め部１Ｎを設けたことにより、枢着部が顔側面に安定して支持される。
【００２３】
６）モダン部２端部の内側（顔側）に滑り止め部２Ｎを設けたことにより、モダン部２が顔側面に安定して支持される。
【００２４】
７）前記モダン部２を回動し、前記モダン部２の後部を頬骨弓Ｂ１の上端部と略平行にした状態で、前記モダン部２の後部が頬骨弓Ｂ１の上端部に当接し支持されるようになっているので、モダン部２が頬骨弓Ｂ１の上端部に当接し安定して確実に保持される。
【図面の簡単な説明】
【００２５】
【図１】図１は、本考案に係る眼鏡の一実施形態を示す斜視図である。
【図２】図２は、本考案に係る眼鏡の一実施形態を示し、モダン部を前方に最大限回動させた位置の斜視図である。
【図３】図３は、本考案に係る眼鏡の一実施形態を示し、モダン部を回動させた５つの段階の仮固定状態を示す図である。
【図４】図４は、本考案に係る眼鏡の一実施形態を示し、テンプル部とモダン部とを組み付ける前の状態を示す図である。
【図５】図５は、本考案に係る眼鏡の一実施形態を示し、テンプル部とモダン部とを組み付けた後の状態を示す図である。
【図６】図６は、本考案に係る眼鏡の一実施形態を示し、テンプル部の中央壁部を説明する図である。
【図７】図７は、本考案に係る眼鏡の一実施形態を示し、モダン部の中央空部を説明する図である。
【図８】図８は、本考案に係る眼鏡を装着した場合の顔に対する支持状態を説明する側面図である。
【図９】図９は、本考案に係る眼鏡を装着した場合の顔に対する支持状態を説明する上面図である（モダン部を回動した後の状態）。
【図１０】図１０は、本考案に係る眼鏡を装着した場合の顔に対する支持状態を説明する上面図である（モダン部を回動する前の状態）。
【考案を実施するための形態】
【００２６】
以下、必要に応じて図面を参照しつつ、本考案の好適な実施形態について詳細に説明する。
なお、図面中、同一要素には同一符号を付すこととし、重複する説明は省略する。
また、図面の寸法比率は図示の比率に限られるものではない。
【００２７】
図１は、本考案に係る眼鏡Ａの一実施形態を示す斜視図であり、図２は、本考案に係る眼鏡Ａの一実施形態を示し、モダン部２を前方に最大限回動させた位置の斜視図である。
図１に示すように、本考案の眼鏡Ａは、左右一対のレンズを有するフロント部３と、該フロント部３の両端から後方に延びるテンプル部１と、該テンプル部１に取り付けられたモダン部２とを備える。
【００２８】
そして、図２に示すように、テンプル部１に対して、該テンプル部１と別体のモダン部２が下方に回動可能になっている。
しかも、この回動は段階的に回動角度が異なる位置で停止し仮固定できるものである。
【００２９】
この場合、仮固定とは、固定状態から一定の力を加えることにより固定が解除されることをいい、仮固定された位置から、一定の力を加えることによって固定が解除された状態であるフリーとなるため、次の仮固定される位置に移動できるものである。
モダン部２を回動するには、下方に力を加えると、モダン部２は枢着部を起点として一段一段、順次、段階的に回動して、最後には図２に示すような最終の仮固定位置に移動して停止する。
【００３０】
尚、この最終の仮固定位置においては、テンプル部１の一部とモダン部２の一部が当接して、モダン部２がこれ以上回動しないように、いわゆるストッパとしての役割を果すが、この点については後述する。
【００３１】
図３は、本考案に係る眼鏡Ａの一実施形態を示し、モダン部２を回動させた５つの段階の仮固定状態を示す図である。
回動する場合、段階的に仮固定して停止する位置があり、複数の段階、図では５つの段階（Ａ→Ｅ）、すなわち真っすぐな状態、約４０度の状態、約７０度の状態、約１２０度の状態、約１５０度の状態がある。
これらモダン部２が各状態で仮固定されるよう特有の固定構造となっている。
【００３２】
すなわち、前記モダン部２の一部にテンプル部１の一部が嵌合されて回動可能に枢着されるものであり、仮固定された状態では、テンプル部１に形成された凸部１２がモダン部２に形成された凹部２２に嵌り込むようになっている。
ここで仮固定される位置は5段階あるために、モダン部２の凹部２２が５つ形成されており、また、テンプル部１の凸部１２は１つ形成されている。
【００３３】
図４は、本考案に係る眼鏡Ａの一実施形態を示し、テンプル部１とモダン部２とを組み付ける前の状態を示す平面図と側面図である。
【００３４】
図５は、本考案に係る眼鏡Ａの一実施形態を示し、テンプル部１とモダン部２とを組み付けた後の状態を示す平面図と側面図である。
組付けた後は、モダン部２の一部にテンプル部１の一部が嵌合されて回動可能に枢着された状態となる。
【００３５】
（テンプル部）
図６は、本考案に係る眼鏡Ａの一実施形態を示し、テンプル部１の中央壁部１Ａを説明する図である。
テンプル部１の中央壁部１Ａはテンプル部１を厚み方向に両側から欠損させたものでテンプル厚より小さい厚みを有する。
テンプル部１の表面から中央壁部１Ａに至る垂直の面、すなわちストッパ面１Ｓは、後述するように、最終の仮固定段階においてモダン部２のストッパ面２Ｓが当たる部分である。
【００３６】
また、中央壁部１Ａには、枢着手段であるネジ等の固着具を挿入する中心孔１１が形成されている。
この中央壁部１Ａには、その両側の対応する位置に、中心孔１１に向かって伸びる小さい釣り鐘状の凸部１２が形成されている。
この凸部１２はストッパ面１Ｓから中心孔１１に向かって半径方向に形成されている。
（モダン部）
【００３７】
図７は、本考案に係る眼鏡Ａの一実施形態を示し、モダン部２の中央空部２Ａを説明する図である。
モダン部２には、その中央が欠損されて中央空部２Ａが形成されており、中央空部２Ａを区画している両側壁２３，２３には、該側壁２３を貫通する中心孔２１が形成されている。
中央空部２Ａを区画している両側壁２３，２３には複数の小さい凹部２２が並んで形成されている。
この凹部２２は放射状に並んで形成されており、半径方向に伸びる釣り鐘状に形成されている。
【００３８】
モダン部２の中央空部２Ａ（モダン部２の一部に相当）には、前述したテンプル部１の中央壁部１Ａ（テンプル部１の一部に相当）が嵌り込む。
この場合、組み込みは、相互に押し入れるだけであり極めて容易である。
嵌り込んだ状態でモダン部２の中心孔２１とテンプル部１の中心孔１１に共通させてネジ等の固着具Ｐを挿入することでモダン部２とテンプル部１とは回動可能に枢着される。
【００３９】
このテンプル部１の中央壁部１Ａをモダン部２の中央空部２Ａに嵌め込み、且つテンプル部１の凸部１２をモダン部２の凹部２２の一つに嵌め込んで、仮固定の状態とする。
この状態で、モダン部２に回動方向に一定の力を加え、仮固定の状態を外し、次の仮固定の位置に移動させる。
このようにすることで、仮固定の位置が順次変更され、５段階の回動角度でモダン部２を停止させることができる。
【００４０】
ところで、本発明の眼鏡Ａは耳からモダン部２を外した状態において、耳以外の部分で保持されて的確にフィットさせることができる。
モダン部２を最終段階まで回動させた状態でも、モダン部２によって視野が妨げられない。
【００４１】
また、モダン部２の内側（顔側）に滑り止め部２Ｎを設けることによりモダン部２が顔皮膚に当接しより保持力が向上する。
更に、テンプル部１とモダン部２との枢着部付近の内側（顔側）に、滑り止め部１Ｎを設けることも可能である。
ここで、滑り止め部を付与する方法としては、表面加工やシート貼付け、二層成形等が好ましく採用される。
【００４２】
図８は、本考案に係る眼鏡Ａを装着した場合の顔に対する支持状態を説明する側面図である。
この場合、モダン部２を最終段階（５段階目）の位置まで回動させて仮固定させる。
最終段階では、モダン部２の両側壁の下端面（ストッパ面２Ｓ）が、先述したテンプル部１のストッパ面１Ｓに当接して止まった状態である。
【００４３】
尚、モダン部２を無理やり回動させても、ストッパ面同士の衝突によりこれ以上回動することはない。
この状態で眼鏡Ａを装着すると、図に示すように、モダン部２の後部が頬骨弓Ｂ１の上端部と略平行になった状態で、頬骨弓Ｂ１の上端部に丁度、モダン部２の後部が当接するようになるためモダン部２は頬骨弓Ｂ１に支えられて安定するのである。
【００４４】
また、最終段階に至る前の３段階目の位置まで回動させて仮固定させた場合は、顎骨Ｂ２の後上部を押さえるようにモダン部２が当接するようになるため、モダン部２は顎骨Ｂ２に支えられて安定するのである。
このように、モダン部２を顔側面の選択した位置にて支持することができる。
【００４５】
図９は、本考案に係る眼鏡Ａを装着した場合の顔に対する支持状態を説明する上面図である。
この図は、モダン部２を最終段階の位置まで回動させた後の状態を示す。
この図から、頬骨弓Ｂ１の上端において、モダン部２が顔面に圧接していることが理解される。
モダン部２の内側の滑り止め部２Ｎは顔側面の皮膚に強く接触し、同様にテンプル部１とモダン部２との枢着部付近の内側の滑り止め部１Ｎは顔側面の皮膚に接触している。
【００４６】
図１０は、本考案に係る眼鏡Ａを装着した場合の顔に対する支持状態を説明する上面図である。
この図は、モダン部２を回動する前の状態を示す。
ここでモダン部２の内側の滑り止め部２Ｎは顔側面の皮膚に接触しても、テンプル部１とモダン部２との枢着部付近の内側の滑り止め部１Ｎは顔側面の皮膚に接触しにくいことが理解できる。
これにより、モダン部２を回動する前の状態では、滑り止め部１Ｎの影響を受けにくく、容易に眼鏡Ａの掛け外しが可能となる。
【００４７】
以上、本考案の好適な実施形態について説明したが、本考案は上記実施形態に限定されるものではない。
【００４８】
本発明の眼鏡Ａのフロント部３は、レンズだけのものでも、ハーフリムのものでも、その構造は限定されない。
また、フロント部３に対して両端に設けられたヒンジを介してテンプル部１が設けられているが、必ずしもヒンジを介する必要はない。
例えば、フロント部３と一体となった高弾性を有するテンプル部１であれば、内側への屈曲が可能である。
【００４９】
また、実施形態に係る眼鏡Ａは、モダン部２での支持力が安定しているので、鼻パッドがなくても利用可能である。
また、テンプル部１とモダン部２の枢着手段にはネジ等の固着部が用いられているが、圧入ピンやカシメピン、抜け止め返し付ピン（プッシュリベットやカヌークリップ等）などのピン枢着や、中心孔の代わりに凹凸を設けた嵌合枢着等でも良い。
また、モダン部２に中央壁部をテンプル部１の中央空部２Ａを設けるようにしてもよい。
また、テンプル部１の方に凸部１２が、モダン部２の方に凹部２２が設けられているが、逆に、テンプル部１の方に凹部２２が、モダン部２の方に凸部１２が設けられていてもよい。
また、回動する仮固定の位置は、５段階に限らず、例えば、２段階でもよく複数段階が可能である。
また、仮固定するためのモダン部２やテンプル部１の回動構造は、公知の種々構造や磁石を利用することも可能である。
また、テンプル部１とモダン部２は別体で構成されているが、枢着部と同じようにモダン部２の回動を可能にするものであれば、一体物でもよい。
また、テンプル部１とモダン部２の材質は特に限定がなく、ポリアミド（ナイロン）等の熱可塑性樹脂や熱硬化性樹脂等でも良く、チタン等の金属でも良い。
【産業上の利用可能性】
【００５０】
本発明の眼鏡は、使う状況が異なっても使用者の顔部に的確にフィットさせることができ、自由度の高いものであり、且つ視野を妨げることもなく使い勝手が優れている。
そのため、この原理を踏まえるならば、近視用、老眼用、乱視用、ファッション用、医療用等の種々の眼鏡として用いることができる。
【符号の説明】
【００５１】
Ａ・・・眼鏡
Ｂ１・・・頬骨弓
Ｂ２・・・顎骨
Ｐ・・・固着具
１・・・テンプル部
１１・・・中心孔
１２・・・凸部
１Ａ・・・中央壁部
１Ｎ・・・滑り止め部
１Ｓ・・・ストッパ面
２・・・モダン部
２１・・・中心孔
２２・・・凹部
２３・・・側壁
２Ａ・・・中央空部
２Ｎ・・・滑り止め部
２Ｓ・・・ストッパ面
３・・・フロント部
【図１】
0003217739.tif 000003
【図２】
0003217739.tif 000004
【図３】
0003217739.tif 000005
【図４】
0003217739.tif 000006
【図５】
0003217739.tif 000007
【図６】
0003217739.tif 000008
【図７】
0003217739.tif 000009
【図８】
0003217739.tif 000010
【図９】
0003217739.tif 000011
【図１０】
0003217739.tif 000012